(57)【要約】【課題】本発明は、小型の装置で、刈り残しなく、刈り取ることができる農作物収穫機を提供することを目的としている。【解決手段】農作物を跨ぐ門型枠を備えた走行装置と、門型枠の下方に設けた摘採装置と、該摘採装置の直後かつ下方より全巾に渡って前記摘採装置に刈り取った農作物を後方へ送風する送風手段と、後方へ送風された農作物を収容する農作物収容部とよりなるとともに、前記送風手段による吹出口は後方に０〜４０度の上向き傾斜をしていることを特徴とする農作物収穫機。【選択図】図１
2014097032.tif 000002
【特許請求の範囲】
【請求項１】
農作物を跨ぐ門型枠を備えた走行装置と、門型枠の下方に設けた摘採装置と、該摘採装置の直後かつ下方より全巾に渡って前記摘採装置に刈り取った農作物を後方へ送風する送風手段と、後方へ送風された農作物を収容する農作物収容部とよりなるとともに、前記送風手段による吹出口は後方に０〜４０度の上向き傾斜をしていることを特徴とする農作物収穫機。
【請求項２】
前記摘採装置は、水平なバリカン型の刈刃と、該刈刃で刈った農作物を後方へ移送するため前記刈刃に沿った回転体とよりなることを特徴とする請求項１記載の農作物収穫機。
【請求項３】
前記摘採装置は、水平な固定刃と、該固定刃に沿った回転刃とよりなり、該回転刃により農作物を後方へ移送することを特徴とする請求項１記載の農作物収穫機。
【請求項４】
前記摘採装置は弧状になっており、茶葉を収穫することを特徴とする請求項１、２または３記載の農作物収穫機。
【発明の詳細な説明】
【技術分野】
【０００１】
本発明は、シソ、大麦若葉、アブラナ等の農作物または茶葉を収穫する装置に関するものである。
【背景技術】
【０００２】
地上部を切断して農作物を収穫する場合、専用の収穫作業機（例えば、特許文献１）を用いたり、茶葉を収穫する摘採機（例えば、特許文献２）を流用したりして、収穫を行なっていた。
【０００３】
特許文献１は、切断部にて刈取り後、搬送部にてコンテナ載置部で搬送される収穫作業機である。
【０００４】
特許文献２は茶葉摘採機であり、これを流用して茶葉以外の農作物の収穫を行なうこともあった。
【０００５】
茶葉摘採機に関していえば、特許文献３のように送風ノズルをなくす試みがなされている。
【先行技術文献】
【特許文献】
【０００６】
【特許文献１】特開２０１２−７０６４５号公報
【特許文献２】特開２００２−３３５７３５号公報
【特許文献３】特開２００４−１５４０２１号公報
【発明の概要】
【発明が解決しようとする課題】
【０００７】
特許文献１は、大型の装置であり、構造が複雑になってしまう問題があった。
【０００８】
特許文献２を用いて茶葉以外の農作物の収穫を行なう場合、送風ノズルが農作物の収穫部と当たり、押し倒してしまう。特に、茶葉より細く、柔らかい農作物の場合は、送風ノズルが農作物を押し倒してしまい、刈り残しなどが発生する。
【０００９】
特許文献３はコンテナ型の収容装置へ茶葉を収容するため、茶葉を上方に送風しており、大型の装置であった。
【００１０】
本発明は、小型の装置で、刈り残しなく、刈り取ることができる農作物収穫機を提供することを目的としている。
【課題を解決するための手段】
【００１１】
本発明の第１手段は、農作物を跨ぐ門型枠を備えた走行装置と、門型枠の下方に設けた摘採装置と、該摘採装置の直後かつ下方より全巾に渡って前記摘採装置に刈り取った農作物を後方へ送風する送風手段と、後方へ送風された農作物を収容する農作物収容部とよりなるとともに、前記送風手段による吹出口は後方に０〜４０度の上向き傾斜をしていることを特徴とする農作物収穫機。本発明の第２手段は、上記第１手段において、前記摘採装置は、水平なバリカン型の刈刃と、該刈刃で刈った農作物を後方へ移送するため前記刈刃に沿った回転体とよりなる。本発明の第３手段は、上記第１手段において、前記摘採装置は、水平な固定刃と、該固定刃に沿った回転刃とよりなり、該回転刃により農作物を後方へ移送する
【００１２】
本発明の第４手段は、上記第１、２または３手段において、前記摘採装置は弧状になっており、茶葉を収穫する。
【発明の効果】
【００１３】
本発明の装置により、構造が簡易であり、装置の大きさを小さくすることができる。また、収穫物を押し倒さず、刈り残しが発生しない。
【図面の簡単な説明】
【００１４】
【図１】図１は農作物収穫機の斜視図である。（実施例１）
【図２】図２は農作物収穫機の側面図である。（実施例１）
【図３】図３は農作物収穫機の正面図である。（実施例１）
【図４】図４は農作物収穫機の刈刃ユニットの斜視図である。（実施例１）
【図５】図５は農作物収穫機の刈刃ユニットの断面図である。（実施例１）
【図６】図６は農作物収穫機の刈刃ユニットの断面図である。（実施例２）
【図７】図７は茶葉摘採機の正面図である。（実施例３）
【発明を実施するための形態】
【００１５】
本発明の装置は、農作物を跨ぐ門型枠を備えた走行装置と、門型枠の下方に設けた摘採装置と、該摘採装置の直後かつ下方より全巾に渡って前記摘採装置に刈り取った農作物を後方へ送風する送風手段と、後方へ送風された農作物を収容する農作物収容部とよりなるとともに、前記送風手段による吹出口は後方に０〜４０度の上向き傾斜をしている。特に、前記摘採装置は、水平なバリカン型の刈刃と、該刈刃で刈った農作物を後方へ移送するため前記刈刃に沿った回転体とよりなるもの（実施例１）、前記摘採装置は、水平な固定刃と、該固定刃に沿った回転刃とよりなり、該回転刃により農作物を後方へ移送するもの（実施例２）、前記摘採装置は弧状になっており、茶葉を収穫するもの（実施例３）等がある。
【実施例１】
【００１６】
本実施例１は、主に、茶以外のシソ、大麦若葉、アブラナ等を収穫する例である。左右の走行装置１を門型枠２で接続する。門型枠２の下には摘採装置３を設けてある。摘採装置３は水平なバリカン刃４を備えており、バリカン刃４で刈り取った農作物を後方へ送るため、回転体５を設ける。回転体５は回転軸５ａを軸として回転するものならばよく、回転ブラシや可撓性の板などでもよい。回転ブラシは、刷毛状のブラシでも可撓性の板に切り込みを入れたようなものでもよい。送風ファン７、送風ダクト８、吹込口６などを送風手段とし、送風ファン７で発生した圧力風を送風ダクト８を介して、吹込口６から摘採装置へ吹き込む。この時の吹込み角度αは、後方かつ上向き０〜４０度である。この角度は案内板１５の角度によって決定し、本実施例の角度は約３０度である。
【００１７】
受け板１１は摘採装置３の後方にあり、摘採装置３の後部に農作物収容部である農作物収容袋１２を接続し、その農作物収容袋１２を乗せることができる。柔らかく長い農作物は刈り取った後、摘採装置３の中央の駆動部１６に絡みつく恐れがあるため、振り分け具１４を取り付けるとよい。
【００１８】
農作物１３を収穫する様子を説明する。農作物１３を門型枠２で跨いで、摘採装置３を稼働し、走行装置１にて走行する。農作物１３は、バリカン刃４にて刈り取られ、刈り取られると同時に回転体５にて後方に送られ、その後吹出口６より吹き込んだ圧力風により更に後方へ移送される。圧力風にのった農作物１３は後方の農作物収容部１２へ運ばれる。
【実施例２】
【００１９】
本実施例２は、摘採装置２３が固定刃２４と回転刃２５によるものの例である。農作物は固定刃２４と回転刃２５の接触位置で刈り取られ、回転刃２５により後方へ送られ、その後は実施例１と同様に吹出口６より吹き込んだ圧力風により更に後方へ移送され、圧力風にのった農作物は後方の農作物収容部１２へ運ばれる。
【実施例３】
【００２０】
本実施例３は、バリカン刃３４と回転体３５による摘採装置３３によるものであり、バリカン刃３４や回転体３５が茶葉の畝の形状に合わせて弧状になっているものである。吹出口６や受け板１２なども摘採装置２３に合わせて弧状になっている。摘採装置が固定刃と回転刃によるものでも同様である。
【符号の説明】
【００２１】
１    走行装置
２    門型枠
３    摘採装置
４    バリカン刃
５    回転体
５ａ    回転軸
６    吹出口
７    送風ファン
８    送風ダクト
９    座席
１０    操縦部
１１    受け板
１２    農作物収容袋
１３    農作物
１４    振り分け具
１５    案内板
１６    駆動部
２３    摘採装置
２４    固定刃
２５    回転刃
２５ａ    回転軸
２６    吹出口
３３    摘採装置
３４    刈刃
３５    回転体
３５ａ    回転軸
【図１】
2014097032.tif 000003
【図２】
2014097032.tif 000004
【図３】
2014097032.tif 000005
【図４】
2014097032.tif 000006
【図５】
2014097032.tif 000007
【図６】
2014097032.tif 000008
【図７】
2014097032.tif 000009